(57)【要約】【課題】傘掛け部材が前方傘掛け位置から壁側収納位置へ回動する開閉式傘掛け装置を提供する【解決手段】ベース部材と可動傘掛け部材を有し、ベース部材は、横方向へ延びるプレートの下部長手方向に回動用の支軸を形成した部材からなり、可動傘掛け部材は、前記ベース部材の支軸に回動自在に係着される嵌合部と傘掛け支持部を一体に有し、該嵌合部を前記ベース部材の支軸に係合させて傘掛け支持部をベース部材の前面閉鎖位置から前方の傘掛け位置へ往復回動するようになっている。可動傘掛け部材は、プレート型傘掛け部材とフック型傘掛け部材を、一体又は独立回動可能に任意に組み合わせる。ばねにより可動傘掛け部材を任意の回動位置に保持させ、あるいは、無荷重状態の傘掛け部材を閉位置に付勢させる。【選択図】　　　図１
2004033347.tif 000002
【特許請求の範囲】
【請求項１】
横方向へ延びるプレートの下部長手方向に回動用の支軸を形成し、前記プレートの背部を支持壁に固定するようになされたベース部材と；
前記ベース部材の支軸に回動自在に係着される嵌合部と傘掛け支持部を一体に有し、該嵌合部を前記ベース部材の支軸に係合させて傘掛け支持部をベース部材の前面閉鎖位置から前方の傘掛け位置へ往復回動する１組又は２組以上の可動傘掛け部材と；を具備することを特徴とする開閉式傘掛け装置
【請求項２】
可動傘掛け部材が、傘の曲がり柄先端を掛けるプレート型傘掛け部材と傘の支持紐を掛けるフック型傘掛け部材からなることを特徴とする請求項１記載の開閉式傘掛け装置
【請求項３】
プレート型傘掛け部材とフック型傘掛け部材をベース部材に対して独立に回動可能に係合させたことを特徴とする請求項２記載の開閉式傘掛け装置
【請求項４】
ベース部材の一端又は両端に側板を取付け、側板と傘掛け部材の端面間に圧接ばねを介装し、ばね圧により傘掛け部材をベース部材に対して任意の回動位置に停止させることができるようにしたことを特徴とする請求項１、２又は３記載の開閉式傘掛け装置
【請求項５】
ベース部材と傘掛け部材の回動係着部に、無荷重状態の傘掛け部材をベース部材の前面閉鎖位置へ付勢させる復帰ばねを介装したことを特徴とする請求項１、２又は３記載の開閉式傘掛け装置
【発明の詳細な説明】
【００１】
【発明の属する技術分野】
本発明は雨傘の柄や吊り紐を掛けて保持する開閉式の傘掛け装置に関する。
【００２】
【従来の技術】
多数の傘を一定の場所に保管する傘収納具としては、傘を差し込む区画スペースを平面的に配列したものが知られており、傘を使用しないときは空いている傘差しスペースに差し込み、使用するときは抜き取るようになっている。また、壁に掛け金具を固定して傘を掛けるようにしたものもある。
【００３】
【発明が解決しようとする課題】
この種の傘収納具は、いずれも、傘を収納しているときも抜き取った後も同じ面積のスペースを占め、空間利用を妨げるだけでなく、周囲の美観を損なう。このため、可動式のものは晴天の日には別の場所へ撤去するなどの煩わしさがあった。
【００４】
従って、本発明の第１の目的は、傘を掛ける時は傘掛け部材が前方傘掛け位置へ張出し、不要時は壁側へコンパクトに折り畳める開閉式傘掛け装置を提供することにある。
【００５】
本発明の第２の目的は、柄が湾曲した傘と棒状の紐掛け傘のどちらにも使用できる上記開閉式傘掛け装置を提供することにある。
【００６】
本発明の第３の目的は、無荷重の傘掛け部材を任意の回動位置に手動で停止させることができる上記開閉式傘掛け装置を提供することにある。
【００７】
本発明の第４の目的は、無荷重の傘掛け部材が折り畳み位置へ自動復帰する上記開閉式傘掛け装置を提供することにある。
【００８】
【課題を解決するための手段】
上記第１の目的を達成するために、本発明の第１の傘掛け装置は、横方向へ延びるプレートの下部長手方向に回動用の支軸を形成し、前記プレートの背部を支持壁に固定するようになされたベース部材と；前記ベース部材の支軸に回動自在に係着される嵌合部と傘掛け支持部を一体に有し、該嵌合部を前記ベース部材の支軸に係合させて傘掛け支持部をベース部材の前面閉鎖位置から前方の傘掛け位置へ往復回動する１組又は２組以上の可動傘掛け部材と；を具備することを特徴とする。
【００９】
上記第２の目的を達成するために、本発明の第２の傘掛け装置は、可動傘掛け部材が、傘の曲がり柄先端を掛けるプレート型傘掛け部材と傘の支持紐を掛けるフック型傘掛け部材からなることを特徴とする。
【０１０】
上記第３の目的を達成するために、本発明の第３の傘掛け装置は、上記第１及び第２の傘掛け装置において、さらに、ベース部材の一端又は両端に側板を取付け、側板と傘掛け部材の端面間に圧接ばねを介装し、ばね圧により傘掛け部材をベース部材に対して任意の回動位置に停止させることができるようにしたことを特徴とする。
【０１１】
上記第４の目的を達成するために、本発明の第４の傘掛け装置は、上記第１及び第２の傘掛け装置において、さらに、ベース部材と傘掛け部材の回動係着部に、無荷重状態の傘掛け部材をベース部材の前面閉鎖位置へ付勢させる復帰ばねを介装したことを特徴とする。
【０１２】
【発明の実施の形態】
以下に、本発明の実施例を添付の図面に基づいて説明する。
図１に示すように、本発明の開閉式傘掛け装置１は、建物の壁などの支持体に固定されるベース部材２と、このベース部材２にベース部材２の前面閉鎖位置から前方の傘掛け位置へ往復回動可能に組付けられた可動の傘掛け部材３を備えている。
図１の実施例は三つに分割した傘掛け部材３ａ、３ｂ、３ｃを有し、中間の傘掛け部材３ｂをベース部材２の前面閉鎖位置へ回動して折り畳み（閉じ）、他の傘掛け部材３ａ、３ｃをベース部材２に対して前方傘掛け位置へ回動して開いた状態を示している。
【０１３】
図２に示すように、ベース部材２は、横方向へ延びるプレート４の下部縁辺を前方内側へ向けて折り返し、下部折り返し辺５の先端長手方向に、前記傘掛け部材３ａ、３ｂ、３ｃを回動可能に嵌合するための支軸６を一体に形成してある。この支軸６は、長手方向に沿ってスリット７を形成した円形パイプ状の軸からなり支軸６の両端内部はねじ孔になっている。
【０１４】
また、ベース部材２は、プレート４の上部縁辺を前方内側へ折り返して上部カバー８とし、その縁辺の先端を内側へ中空体に湾曲させ、両端内部をねじ孔に形成してある。
【０１５】
かくして、ベース部材２は、プレート４の両端からサイドカバー９、９を嵌め、サイドカバー９、９を通した上、下ボルト１０で上部カバー８と支軸６の端部ねじ孔にそれぞれ固定してある。
このようにして組付けたベース部材２は、プレート４の取付孔１１とボルト１２で建物の壁に埋込まれたアンカープラグ１３に固定されるようになっている。
【０１６】
可動傘掛け部材３（３ａ、３ｂ、３ｃ）は、前記ベース部材２の支軸６に回動可能に係着される基部１４と傘を支持する傘掛け支持部１５とを一体成形したフレームからなり、基部１４にベース部材２の支軸６に回動可能に嵌め込まれる軸受部１６が形成されている。
この軸受部１６は開放口が絞られた断面Ｃ字形の円筒壁を有している。このため、ベース部材２の支軸６を軸受部１６の開放口から圧入すると、スリット７による支軸６のばね作用で支軸６と軸受部１６が弾発的に嵌合し、これにより、傘掛け部材３はベース部材２の支軸６から離脱することなく回動可能に軸支されている。
【０１７】
傘掛け部材３はベース部材２に対してほぼ水平かこれよりも若干上向きとなる傘掛け位置（開位置）から、前方縁辺がベース部材２の上部カバー８に当接する閉位置の間を往復回動するようになっており、傘掛け位置では傘掛け部材３の軸受部１６の下方縁辺１７がベース部材２の前記下部折り返し辺５に停止して開状態に保持される。
また、傘掛け部材３を閉位置に回動したときに基部１４の上面がベース部材２のプレート４内壁に当たり、衝突の振動や音が生ずる。これを緩和させるため、傘掛け部材３の基部上面にゴムなどの緩衝材１８を設けてある。
【０１８】
図の実施例の傘掛け部材３は、横方向に長い傘掛け支持部１５を有するプレート型傘掛け部材３ａと、巾の狭い傘掛け支持部１５を有する２個のフック型傘掛け部材３ｂ、３ｃに分割され、各々の傘掛け部材３ａ、３ｂ、３ｃがベース部材２の支軸６に対して独立に回動するように組付けられている。
これらの傘掛け部材３ａ、３ｂ、３ｃは相互の対接面間及びサイドカバー９との間に、支軸６に係合させたＣ字形ワッシャ１９を介して組付けてある。
【０１９】
図１に示すように、プレート型傘掛け部材３ａは板状傘掛け支持部１５の面上に多数の傘の曲がり柄２０の先端を掛けて使用するものである。このため、プレート型傘掛け部材３ａの両端に側面からの落下を防止するサイドストッパ２１が取付けられている。
他方、フック型傘掛け部材３ｂ、３ｃは、真っ直な柄の傘の吊り紐２２を引かけて使用するものである。
いずれの傘掛け部材３ａ、３ｂ、３ｃも、先端縁辺を凸状に成形したフロントストッパ２３を設けてある。
【０２０】
傘掛け部材３は傘を掛けるときだけ、傘掛け位置（開位置）へ回動し、傘を掛けないときは上方の閉鎖位置に保持させ、傘掛け部材３の自重では開位置へ開かないようにする必要がある。そのためには、ベース部材２の支軸６と傘掛け部材３の軸受部１６の回動摩擦力を調整することで達成することもできるが、図の実施例では、ばねによっていろいろな態様の制御するようにしてある。
【０２１】
一つの手段は、傘掛け部材３の両端とサイドカバー９の間に圧縮ばね２４を介装し、傘掛け部材３に横方向からの弾力的な圧接力を付与することにより、傘掛け部材３を任意の回動位置に保持させることができる。
【０２２】
また、別の手段として、傘掛け部材３とサイドカバー９又はベース部材２の間に傘掛け部材３をベース部材２の閉位置に付勢させる復帰ばね２５を介装し、傘掛け支持部１５が無荷重のとき（傘を掛けてないとき）は傘掛け部材３が上方の閉位置へ自動的に回動するようにしてある。
図の実施例ではリング状のばね２５の一端を傘掛け部材３の基部１４に係止させるとともに、ばね２５の他端をサイドカバー９の内側に形成した係止部に係止させてある。このばね２５には無荷重状態のときだけ閉位置へ付勢する弱いばねが使用される。
【０２３】
本発明による傘掛け装置のベース部材２及び傘掛け部材３は、好ましくはプラスチック材料を射出成形して製作するが、金属材料で製作することももちろん可能である。
【０２４】
図は本発明の実施例を示すもので、これに限定されるものではない。
例えば、傘掛け部材３を一連のプレート型傘掛け部材に形成してもよく、また、プレート型とフック型を一体にした一連の傘掛け部材に形成してもよい。
さらには、多数のフックを一体にした一連の傘掛け部材に形成してもよく、また、多数のフック型傘掛け部材を独立回動可能に組付けてもよい。
【０２５】
傘を安定した状態に掛けておくために、傘掛け支持部に傘の曲がり柄先端を受入れる通孔又は凹部を形成してもよい。
【０２６】
【効果】
本発明の傘掛け装置は傘を掛けるときだけ傘掛け位置へ開き、不使用時は壁側へコンパクトに閉じるので場所をとらず、見映えもよくなる。
【０２７】
どこにでも取付けることができ、また、傘掛け部材を手前に開くだけで設置場所が提供されるとともに、使用しないときは自動又は手動で撤去したのと同じ状態になるので邪魔にならず、操作も簡単である。
従って、従来の傘置場の欠点であったスペース、美観、撤去の問題を一挙に解消することができる。
【図面の簡単な説明】
【図１】本発明の一実施例による傘掛け装置の使用状態透視図
【図２】図１の実施例の不使用時の透視図
【図３】図１実施例による傘掛け装置の組付け説明図
【図４】閉鎖状態の正面図
【図５】閉鎖状態の平面図
【図６】閉鎖状態の底面図
【図７】閉鎖状態の背面図
【図８】閉鎖状態の左側面図
【図９】閉鎖状態の右側面図
【符号の説明】
１…傘掛け装置
２…ベース部材
３、３ａ、３ｂ、３ｃ…傘掛け部材
４…プレート
５…下部折り返し辺
６…支軸
７…スリット
８…上部カバー
９…サイドカバー
１０…下ボルト
１１…取付孔
１２…ボルト
１３…アンカープラグ
１４…基部
１５…傘掛け支持部
１６…軸受部
１７…下方縁辺
１８…緩衝材
１９…ワッシャ
２０…曲がり柄
２１…サイドストッパ
２２…吊り紐
２３…フロントストッパ
２４…圧縮ばね
２５…復帰ばね
【整理番号】ＰＡＳ００２―０１２
【図１】
2004033347.tif 000003
【図２】
2004033347.tif 000004
【図３】
2004033347.tif 000005
【図４】
2004033347.tif 000006
【図５】
2004033347.tif 000007
【図６】
2004033347.tif 000008
【図７】
2004033347.tif 000009
【図８】
2004033347.tif 000010
【図９】
2004033347.tif 000011